(57)【要約】  新しい無線アクセス技術（新しいＲＡＴ（ｒａｄｉｏ  ａｃｃｅｓｓ  ｔｅｃｈｎｏｌｏｇｙ）またはＮＲ）をサポートするために、新しいＲＡＴのためのフレーム構造が構成されることができる。ネットワークノードは、０．５ｍｓ毎に第１のシンボルに第１のＣＰ（ｃｙｃｌｉｃ  ｐｒｅｆｉｘ）が割り当てられ、０．５ｍｓ毎に残りのシンボルに第２のＣＰが割り当てられるフレームを構成する。この場合、第１のＣＰの長さは、第２のＣＰの長さより長い。【選択図】図２３
2019518377.tif 000002
【特許請求の範囲】
【請求項１】
無線通信システムにおけるネットワークノードによりフレームを構成するための方法において、
０．５ｍｓ毎に第１のシンボルに第１のＣＰ（ｃｙｃｌｉｃ  ｐｒｅｆｉｘ）が割り当てられ、０．５ｍｓ毎に残りのシンボルに第２のＣＰが割り当てられるフレームを構成するステップと、
前記フレームを利用して端末（ＵＥ；ｕｓｅｒ  ｅｑｕｉｐｍｅｎｔ）と通信するステップと、を含み、
前記第１のＣＰの長さは、前記第２のＣＰの長さより長いことを特徴とする方法。
【請求項２】
前記第１のＣＰの長さ及び前記第２のＣＰの長さは、サンプリング時間の観点で副搬送波間隔に依存することを特徴とする請求項１に記載の方法。
【請求項３】
前記フレームは、第１の副搬送波間隔を有する第１の時間デュレーションであり、
前記第１の副搬送波間隔は、基準副搬送波間隔であることを特徴とする請求項１に記載の方法。
【請求項４】
前記第１の時間デュレーションは、基準副搬送波間隔に基づいて７個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルからなることを特徴とする請求項３に記載の方法。
【請求項５】
第２の副搬送波間隔を有する第２の時間デュレーションを構成するステップをさらに含み、
前記第２の副搬送波間隔は、前記第１の副搬送波間隔に対して２の自乗であることを特徴とする請求項３に記載の方法。
【請求項６】
前記第１の時間デュレーション及び前記第２の時間デュレーションは、ＯＦＤＭシンボルレベルで互いに整列されることを特徴とする請求項５に記載の方法。
【請求項７】
前記第１の時間デュレーション及び前記第２の時間デュレーションは、スロットレベルで互いに整列されることを特徴とする請求項５に記載の方法。
【請求項８】
前記第１の時間デュレーション及び前記第２の時間デュレーションは、サブフレームレベルで互いに整列されることを特徴とする請求項５に記載の方法。
【請求項９】
無線通信システムのネットワークノードにおいて、
メモリと、
送受信部と、
前記メモリ及び前記送受信部と連結されたプロセッサと、を含み、
前記プロセッサは、
０．５ｍｓ毎に第１のシンボルに第１のＣＰ（ｃｙｃｌｉｃ  ｐｒｅｆｉｘ）が割り当てられ、０．５ｍｓ毎に残りのシンボルに第２のＣＰが割り当てられるフレームを構成し、
前記フレームを利用して端末（ＵＥ；ｕｓｅｒ  ｅｑｕｉｐｍｅｎｔ）と通信するように前記送受信部を制御し、
前記第１のＣＰの長さは、前記第２のＣＰの長さより長いことを特徴とするネットワークノード。
【請求項１０】
前記第１のＣＰの長さ及び前記第２のＣＰの長さは、サンプリング時間の観点で副搬送波間隔に依存することを特徴とする請求項９に記載のネットワークノード。
【請求項１１】
前記フレームは、第１の副搬送波間隔を有する第１の時間デュレーションであり、
前記第１の副搬送波間隔は、基準副搬送波間隔であることを特徴とする請求項９に記載のネットワークノード。
【請求項１２】
前記第１の時間デュレーションは、基準副搬送波間隔に基づいて７個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルからなることを特徴とする請求項１１に記載のネットワークノード。
【請求項１３】
前記プロセッサは、第２の副搬送波間隔を有する第２の時間デュレーションを構成し、
前記第２の副搬送波間隔は、前記第１の副搬送波間隔に対して２の自乗であることを特徴とする請求項１１に記載のネットワークノード。
【請求項１４】
前記第１の時間デュレーション及び前記第２の時間デュレーションは、ＯＦＤＭシンボルレベルまたはスロットレベルまたはサブフレームレベルで互いに整列されることを特徴とする請求項１３に記載のネットワークノード。
【発明の詳細な説明】
【技術分野】
【０００１】
本発明は、無線通信に関し、より詳しくは、無線通信システムにおける新しい無線アクセス技術（ｎｅｗ  ｒａｄｉｏ  ａｃｃｅｓｓ  ｔｅｃｈｎｏｌｏｇｙ（ＲＡＴ））に対するフレーム構造を構成するための方法及び装置に関する。
【背景技術】
【０００２】
３ＧＰＰ ＬＴＥは、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
より多くの通信機器の大きい通信容量の要求に応じて、既存の無線アクセス技術に比べて改善されたモバイル広帯域通信が必要である。また、多数の機器及びモノを連結していつでもどこでも多様なサービスを提供する巨大ＭＴＣ（ｍａｃｈｉｎｅ  ｔｙｐｅ  ｃｏｍｍｕｎｉｃａｔｉｏｎ）も次世代通信で考慮される主要案件である。また、信頼性及び遅延に敏感なサービス／端末（ＵＥ；ｕｓｅｒ  ｅｑｕｉｐｍｅｎｔ）を考慮した通信システム設計が論議されている。このように向上したモバイル広帯域通信、巨大ＭＴＣ、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代無線アクセス技術の導入が論議されており、便宜上、このような新しい無線アクセス技術は、ｎｅｗ  ｒａｄｉｏ  ａｃｃｅｓｓ  ｔｅｃｈｎｏｌｏｇｙ（ＲＡＴ）とも呼ばれる。
【０００４】
新しいＲＡＴで、アナログビームフォーミングが導入されることができる。ミリ波（ｍｍＷ）帯域では波長が短くなって同一面積に複数のアンテナが設置されることができる。例えば、３０ＧＨｚ帯域で波長は１ｃｍであり、５×５ｃｍ２のパネルに０．５λ（波長）間隔に２次元配列形態で全１００個のアンテナ要素が設置されることができる。したがって、ｍｍＷ帯域では複数のアンテナ要素を使用してビームフォーミング（ｂｅａｍｆｏｒｍｉｎｇ）利得を高めてカバレッジを増加させ、または処理量（ｔｈｒｏｕｇｈｐｕｔ）を高めようとする。
【０００５】
この場合、アンテナ要素別に送信パワー及び位相調節が可能になるように送受信部（ＴＸＲＵ；ｔｒａｎｓｃｅｉｖｅｒ  ｕｎｉｔ）を有すると、周波数リソース別に独立したビームフォーミングが可能である。しかし、およそ１００個のアンテナ要素の全てに送受信部を設置すると、コスト側面で実効性が落ちるという問題点がある。したがって、一つの送受信部に複数のアンテナ要素をマッピングしてアナログ移相器（ａｎａｌｏｇ  ｐｈａｓｅ  ｓｈｉｆｔｅｒ）でビームの方向を調節する方式が考慮されている。このようなアナログビームフォーミング方式は、全帯域にわたって一つのビーム方向のみを作るため、周波数選択的なビームフォーミングをすることができないという短所を有する。
【０００６】
デジタルビームフォーミングとアナログビームフォーミングの中間形態として、Ｑ個のアンテナ要素より少ない個数であるＢ個の送受信部を有するハイブリッドビームフォーミングを考慮することができる。この場合、Ｂ個の送受信部とＱ個のアンテナ要素の連結方式によって異なるが、同時に送信できるビームの方向はＢ個以下に制限される。
【０００７】
新しいＲＡＴを効率的に運営するために、多様な方式が論議された。特に、新しいフレーム構造が要求される必要がある。
【発明の概要】
【発明が解決しようとする課題】
【０００８】
本発明は、無線通信システムにおける新しい無線アクセス技術（ｎｅｗ  ｒａｄｉｏ  ａｃｃｅｓｓ  ｔｅｃｈｎｏｌｏｇｙ（ＲＡＴ））のためのフレーム構造を構成する方法及び装置を提供する。本発明は、拡張可能な（ｓｃａｌａｂｌｅ）ヌメロロジーＣＰ（ｃｙｃｌｉｃ  ｐｒｅｆｉｘ）を処理するための方法及び装置を提供する。また、本発明は、搬送波内の異なるヌメロロジーを多重化するための方法及び装置を提供する。本発明は、フレーム構造、特に第１のスロットを除いて０．５ｍｓ毎に同じスロット長さを許容し、ミニスロット（例えば、より小さい副搬送波間隔の１個または２個のシンボル）毎に異なるヌメロロジーの一般ＣＰ及び拡張ＣＰの多重化を許容するＣＰに重点をおく。
【課題を解決するための手段】
【０００９】
一態様において、無線通信システムにおけるネットワークノードによりフレームを構成するための方法が提供される。前記方法は、０．５ｍｓ毎に第１のシンボルに第１のＣＰ（ｃｙｃｌｉｃ  ｐｒｅｆｉｘ）が割り当てられ、０．５ｍｓ毎に残りのシンボルに第２のＣＰが割り当てられるフレームを構成するステップと、前記フレームを利用して端末（ＵＥ；ｕｓｅｒ  ｅｑｕｉｐｍｅｎｔ）と通信するステップと、を含む。前記第１のＣＰの長さは、前記第２のＣＰの長さより長い。
【００１０】
他の態様において、無線通信システムのネットワークノードが提供される。前記ネットワークノードは、メモリ、送受信部、及び前記メモリ及び前記送受信部と連結されたプロセッサを含む。前記プロセッサは、０．５ｍｓ毎に第１のシンボルに第１のＣＰ（ｃｙｃｌｉｃ  ｐｒｅｆｉｘ）が割り当てられ、０．５ｍｓ毎に残りのシンボルに第２のＣＰが割り当てられるフレームを構成し、前記フレームを利用して端末（ＵＥ；ｕｓｅｒ  ｅｑｕｉｐｍｅｎｔ）と通信するように前記送受信部を制御する。前記第１のＣＰの長さは、前記第２のＣＰの長さより長い。
【発明の効果】
【００１１】
新しいＲＡＴに対して新しいフレーム構造が構成されることができる。
【図面の簡単な説明】
【００１２】
【図１】無線通信システムを示す。
【図２】３ＧＰＰ  ＬＴＥの無線フレームの構造を示す。
【図３】一つの下向きリンクスロットに対するリソースグリッド（ｒｅｓｏｕｒｃｅ  ｇｒｉｄ）を示す。
【図４】新しいＲＡＴに対するサブフレーム類型の例を示す。
【図５】新しいＲＡＴのためのフレーム構造の例を示す。
【図６】本発明の一実施例に係るＣＰ長さの例を示す。
【図７】本発明の一実施例に係るＣＰ長さの他の例を示す。
【図８】本発明の一実施例によって単一搬送波で異なるヌメロロジーを多重化する例を示す。
【図９】本発明の一実施例によって単一搬送波で異なるヌメロロジーを多重化する他の例を示す。
【図１０】本発明の一実施例によって単一搬送波で異なるヌメロロジーを多重化する他の例を示す。
【図１１】本発明の一実施例に係る異なる副搬送波間隔の多重化を考慮したフレーム構造の一例を示す。
【図１２】本発明の一実施例に係る異なる副搬送波間隔の多重化を考慮したフレーム構造の他の例を示す。
【図１３】本発明の一実施例に係る異なる副搬送波間隔の多重化を考慮したフレーム構造の他の例を示す。
【図１４】本発明の一実施例に係る異なる副搬送波間隔の多重化を考慮したフレーム構造の他の例を示す。
【図１５】本発明の一実施例によって単一搬送波で異なるヌメロロジーを多重化する他の例を示す。
【図１６】本発明の一実施例によって単一搬送波で異なるヌメロロジーを多重化する他の例を示す。
【図１７】本発明の一実施例によって単一搬送波で異なるヌメロロジーを多重化する他の例を示す。
【図１８】本発明の一実施例によって単一搬送波で異なるヌメロロジーを多重化する他の例を示す。
【図１９】本発明の一実施例によって単一搬送波で異なるヌメロロジーを多重化する他の例を示す。
【図２０】本発明の一実施例によって単一搬送波で異なるヌメロロジーを多重化する他の例を示す。
【図２１】本発明の一実施例に係る異なるヌメロロジーに対するサブフレームインデクシングの例を示す。
【図２２】本発明の一実施例に係る異なるヌメロロジーに対するサブフレームインデクシングの他の例を示す。
【図２３】本発明の一実施例によってネットワークノードによりフレームを構成する方法を示す。
【図２４】本発明の一実施例を実現するための無線通信システムを示す。
【発明を実施するための形態】
【００１３】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下向きリンク（ＤＬ；ｄｏｗｎｌｉｎｋ）でＯＦＤＭＡを採用し、上向きリンク（ＵＬ；ｕｐｌｉｎｋ）でＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１４】
図１は、無線通信システムを示す。無線通信システム１０は、少なくとも１つのｅＮＢ（ｅｖｏｌｖｅｄ  ＮｏｄｅＢ）１１を含む。各ｅＮＢ１１は、特定の地理的領域（一般に、セルという）１５ａ、１５ｂ、１５ｃに対して通信サービスを提供する。各セルは、さらに複数の領域（セクタという）に分けられることができる。端末（ＵＥ；ｕｓｅｒ  ｅｑｕｉｐｍｅｎｔ）１２は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。ｅＮＢ１１は一般に、ＵＥ１２と通信する固定された地点をいい、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることができる。
【００１５】
ＵＥは、通常１つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１６】
この技術は、ＤＬまたはＵＬに使用されることができる。一般に、ＤＬは、ｅＮＢ１１からＵＥ１２への通信を意味し、ＵＬは、ＵＥ１２からｅＮＢ１１への通信を意味する。ＤＬにおいて送信機は、ｅＮＢ１１の一部であり、受信機は、ＵＥ１２の一部でありうる。ＵＬにおいて送信機は、ＵＥ１２の一部であり、受信機は、ｅＮＢ１１の一部でありうる。
【００１７】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１８】
図２は、３ＧＰＰ  ＬＴＥの無線フレームの構造を示す。図２を参照すると、無線フレームは、１０個のサブフレームを含む。サブフレームは、時間領域で２個のスロットを含む。上位層により一つのトランスポートブロックを物理層に送信する時間は、（一般的に一つのサブフレームにわたって）ＴＴＩ（ｔｒａｎｓｍｉｓｓｉｏｎ  ｔｉｍｅ  ｉｎｔｅｒｖａｌ）と定義される。例えば、一つのサブフレームは、１ｍｓの長さを有することができ、一つのスロットは、０．５ｍｓの長さを有することができる。一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ））シンボルを含む。３ＧＰＰ  ＬＴＥは、ＤＬでＯＦＤＭＡを使用するため、ＯＦＤＭシンボルは、一つのシンボル周期を表現するためのものである。ＯＦＤＭシンボルは、多重アクセス方式によって他の名称でも呼ばれる。例えば、ＳＣ−ＦＤＭＡがＵＬ多重アクセス方式として使われる場合、ＯＦＤＭシンボルは、ＳＣ−ＦＤＭＡシンボルとも呼ばれる。リソースブロック（ＲＢ；ｒｅｓｏｕｒｃｅ  ｂｌｏｃｋ）は、リソース割当単位であり、一つのスロットに複数の連続された（ｃｏｎｔｉｇｕｏｕｓ）副搬送波を含む。例示的な目的のみのために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１９】
無線通信システムは，ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式に区分されることができる。ＦＤＤ方式によると、上向きリンク送信と下向きリンク送信は、互いに異なる周波数帯域で行われる。ＴＤＤ方式によると、ＵＬ送信とＤＬ送信は、同じ周波数帯域で互いに異なる時間間隔で行われる。ＴＤＤ方式のチャネル応答は、実質的に相互互換（ｒｅｃｉｐｒｏｃａｌ）である。これは与えられた周波数帯域でＤＬチャネル応答及びＵＬチャネル応答がほとんど同じであることを意味する。したがって、ＴＤＤベースの無線通信システムは、ＵＬチャネル応答からＤＬチャネル応答を得ることができるという長所がある。ＴＤＤ方式は、全体周波数帯域がＵＬ及びＤＬ送信のために時分割されるため、ｅＮＢによるＤＬ送信とＵＥによるＵＬ送信を同時に実行することができない。ＵＬ送信とＤＬ送信がサブフレーム単位で区別されるＴＤＤシステムで、ＵＬ送信とＤＬ送信は、異なるサブフレームで実行される。ＴＤＤシステムにおいて、ＤＬとＵＬとの間の高速スイッチングを可能にするために、ＴＤＭ（ｔｉｍｅ  ｄｉｖｉｓｉｏｎ  ｍｕｌｔｉｐｌｅｘｉｎｇ）／ＦＤＭ（ｆｒｅｑｕｅｎｃｙ  ｄｉｖｉｓｉｏｎ  ｍｕｌｔｉｐｌｅｘｉｎｇ）方式で同じサブフレーム／スロット内でＵＬ及びＤＬ送信が実行されることができる。
【００２０】
図３は、一つの下向きリンクスロットに対するリソースグリッド（ｒｅｓｏｕｒｃｅ  ｇｒｉｄ）を示す。図３を参照すると、ＤＬスロットは、時間領域で多数のＯＦＤＭシンボルを含む。ここで、例示として、一つのＤＬスロットは、７個のＯＦＤＭシンボルを含み、一つのＲＢは、周波数領域で１２個の副搬送波を含むと述べられる。しかし、本発明は、これに限定されるものではない。リソースグリッドの各要素は、リソース要素（ＲＥ；ｒｅｓｏｕｒｃｅ  ｅｌｅｍｅｎｔ）という。一つのＲＢは、１２×７または１２×１４リソース要素を含む。ＤＬスロットに含まれるＲＢの数ＮＤＬは、ＤＬ送信帯域幅によって決まる。ＵＬスロットの構造は、ＤＬスロットの構造と同じである。ＯＦＤＭシンボルの数と副搬送波の数は、ＣＰの長さ、周波数間隔などによって変わることができる。例えば、一般ＣＰ（ｎｏｒｍａｌ  ｃｙｃｌｉｃ  ｐｒｅｆｉｘ）の場合、ＯＦＤＭシンボルの個数は７個または１４個であり、拡張ＣＰの場合、ＯＦＤＭシンボルの個数は６個または１２個である。一つのＯＦＤＭシンボルで、１２８、２５６、５１２、１０２４、１５３６、２０４８、４０９６及び８１９２のうち一つを副搬送波の個数として選択的に使用することができる。
【００２１】
第５世代移動通信ネットワークまたは第５世代移動通信システム（５Ｇ）は、現在の４Ｇ  ＬＴＥ／ＩＭＴ（ｉｎｔｅｒｎａｔｉｏｎａｌ  ｍｏｂｉｌｅ  ｔｅｌｅｃｏｍｍｕｎｉｃａｔｉｏｎｓ）標準以後に提案された次世代通信標準である。５Ｇは、新しい無線アクセス技術（ｎｅｗ  ｒａｄｉｏ  ａｃｃｅｓｓ  ｔｅｃｈｎｏｌｏｇｙ（ｎｅｗ  ＲＡＴ）またはＮＲ）とＬＴＥ進化（ｅｖｏｌｕｔｉｏｎ）の両方ともを含む。以下では、５Ｇのうち、新しいＲＡＴに焦点をおく。５Ｇプランニングは、現在の４Ｇ  ＬＴＥより高い容量を目標とし、モバイル広帯域ユーザの密度を高め、機器対機器、高信頼（ｕｌｔｒａ−ｒｅｌｉａｂｌｅ）及び大規模マシン通信（ｍａｓｓｉｖｅ  ｍａｃｈｉｎｅ  ｃｏｍｍｕｎｉｃａｔｉｏｎｓ）をサポートする。また、５Ｇ研究開発は、モノのインターネットをよく実現するために、４Ｇ装備より低い遅延と低いバッテリ消費を目標とする。
【００２２】
新しいＲＡＴに対して異なるフレーム構造が必要であると期待される。特に、ＵＬ及びＤＬがサブフレーム毎に存在でき、または同じ搬送波内で非常に頻繁に変更されることができる異なるフレーム構造が新しいＲＡＴに必要である。異なるアプリケーションは、異なる遅延及びカバレッジ要求事項をサポートするために、ＤＬまたはＵＬ部分（ｐｏｒｔｉｏｎ）の異なる最小大きさを必要とすることができる。例えば、高いカバレッジの場合、大規模マシンタイプ通信（ｍＭＴＣ；ｍａｓｓｉｖｅ  ｍａｃｈｉｎｅ−ｔｙｐｅ  ｃｏｍｍｕｎｉｃａｔｉｏｎ）は、一つの送信が成功裏に送信されることができるように比較的長いＤＬ及びＵＬ部分を必要とすることができる。また、同期化及び追跡正確度要求事項に対する異なる要求事項により、異なる副搬送波間隔及び／または異なるＣＰ長さが考慮されることができる。このような観点で、同じ搬送波に共存する異なるフレーム構造を可能にし、同じセル／ｅＮＢで動作できるメカニズムを考慮することが必要である。
【００２３】
新しいＲＡＴで、下向きリンク及び上向きリンクが含まれるサブフレームを利用することが考慮されることができる。この方式は、ペア（ｐａｉｒｅｄ）スペクトラム及びアンペア（ｕｎｐａｉｒｅｄ）スペクトラムに適用されることができる。ペアスペクトラムは、一つの搬送波が二つの搬送波で構成されることを意味する。例えば、ペアスペクトラムで、一つの搬送波は、ＤＬ搬送波及びＵＬ搬送波を含むことができ、これは相互ペアリングされる。ペアスペクトラムで、ＤＬ、ＵＬ、機器対機器通信及び／または中継通信のような通信は、ペアスペクトラムを利用して実行されることができる。アンペアスペクトラムは、現在の４Ｇ  ＬＴＥのように一つの搬送波がただ一つの搬送波で構成されることを意味する。アンペアスペクトラムで、ＤＬ、ＵＬ、機器対機器通信及び／または中継通信のような通信は、アンペアスペクトラム内で実行されることができる。
【００２４】
また、新しいＲＡＴで、下記のサブフレーム類型は、前述したペアスペクトラム及びアンペアスペクトラムをサポートすると見なされることができる。
【００２５】
（１）ＤＬ制御及びＤＬデータを含むサブフレーム
【００２６】
（２）ＤＬ制御、ＤＬデータ及びＵＬ制御を含むサブフレーム
【００２７】
（３）ＤＬ制御及びＵＬデータを含むサブフレーム
【００２８】
（４）ＤＬ制御、ＵＬデータ及びＵＬ制御を含むサブフレーム
【００２９】
（５）アクセス信号またはランダムアクセス信号または他の目的を含むサブフレーム
【００３０】
（６）ＤＬ／ＵＬ及び全てのＵＬ信号を全て含むサブフレーム
【００３１】
しかし、前記列挙されたサブフレーム類型は、単に例示に過ぎず、他のサブフレーム類型も考慮されることができる。
【００３２】
図４は、新しいＲＡＴに対するサブフレーム類型の例を示す。データ送信遅延を最小化するために、図４に示すサブフレームは、新しいＲＡＴのＴＤＤシステムで使われることができる。図４を参照すると、前記サブフレームは、現在のサブフレームのように、一つのＴＴＩで１４個のシンボルを含む。しかし、前記サブフレームは、第１のシンボルにＤＬ制御チャネル及び最終シンボルにＵＬ制御チャネルを含む。残りのシンボルは、ＤＬデータ送信またはＵＬデータ送信のために使われることができる。このようなサブフレーム構造によると、ＤＬ送信とＵＬ送信は、一つのサブフレームから順次に進行されることができる。したがって、前記サブフレーム内でＤＬデータが送信されることができ、前記サブフレーム内で上向きリンクＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）が受信されることもできる。このような方式により、図４に示すサブフレームは、自立型（ｓｅｌｆ−ｃｏｎｔａｉｎｅｄ）サブフレームということができる。結果的に、データ送信エラーが発生する時、データの再送信に時間があまりかからないため、最終データ送信の遅延が最小化される。自立型サブフレーム構造において、送信モードから受信モードにまたは受信モードから送信モードへのスイッチ過程に時間ギャップ（ｔｉｍｅ  ｇａｐ）が必要である。このような目的のために、サブフレーム構造において、ＤＬからＵＬにスイッチする時、一部ＯＦＤＭシンボルをガード期間（ＧＰ；ｇｕａｒｄ  ｐｅｒｉｏｄ）に設定できる。
【００３３】
また、新しいＲＡＴで、異なる副搬送波間隔にまたは異なる副搬送波間隔なしに異なるサービスに対して異なるデュレーションのＴＴＩを有することが考慮されることができる。例えば、フレーム構造タイプ１（ＦＳ１）は、例えば、ｅＭＢＢ使用例をサポートすると構成され、それに対し、フレーム構造タイプ２（ＦＳ２）は、例えば、ｍＭＴＣをサポートすることと構成されることができる。他の例として、単一セル送信及びＳＦＮ送信は、異なる副搬送波間隔を利用することができる。以下の説明では、便宜上、ＦＳ１とＦＳ２が同じ搬送波内に構成されて共存すると仮定する。ＦＳ１は、ｅＭＢＢ使用例または一般的な使用例のような場合に使われる基本フレーム構造である。ＦＳ２は、ｍＭＴＣ、ＵＲＬＬＣ（ｕｌｔｒａ−ｒｅｌｉａｂｌｅ  ｌｏｗ  ｌａｔｅｎｃｙ  ｃｏｍｍｕｎｉｃａｔｉｏｎ）、ｅＶ２Ｘ（ｅｎｈａｎｃｅｄ  ｖｅｈｉｃｌｅ−ｔｏ−ｅｖｅｒｙｔｈｉｎｇ）通信のような異なるアプリケーションに使われることができる。ネットワークまたはセルは、同時に一つまたは多数のフレーム構造をサポートすることができる。便宜上、本発明は、２個のフレーム構造間の関係を議論することができる。しかし、２個以上のフレーム構造が同時にサポートされることもある。また、以下の説明におけるｅＮＢは、新しいＲＡＴの個体であるｇＮＢに代替されることができる。一般性を失わないで、ｅＮＢは、各通信プロトコルフレームワークと関連した全てのネットワーク個体を参照することができる。
【００３４】
図５は、新しいＲＡＴのためのフレーム構造の例を示す。図５を参照すると、潜在的に異なるサブバンドで異なる副搬送波間隔を活用するフレーム構造が説明される。一つのＴＴＩは、１４個のシンボルを含むため、ＦＳ１は、従来のフレーム構造と同じであることを知ることができる。即ち、ＦＳ１の１ＴＴＩは、１ｍｓである。それに対し、ＦＳ２の一つのＴＴＩは‘ｍ’ｍｓである。‘ｍ’は、あらかじめ決定されることができる。または、‘ｍ’は、ｍＭＴＣに対して使われた副搬送波間隔に基づいて決定されることができる。
【００３５】
１．スケーラブルヌメロロジーＣＰ処理（Ｓｃａｌａｂｌｅ  ｎｕｍｅｒｏｌｏｇｙ  ＣＰ  ｈａｎｄｌｉｎｇ）
【００３６】
異なるＣＰ長さ及び遅延要求条件を有する多様な使用シナリオ及び異なる配置（ｄｅｐｌｏｙｍｅｎｔ）シナリオをサポートするために、多数の副搬送波間隔が考慮されることができる。多重副搬送波間隔を有するフレーム構造は、互いに重なることができる。しかし、任意のフレーム構造で異なるＣＰ長さが使われる場合、異なるＣＰが異なるフレーム構造にどのように相続（ｉｎｈｅｒｉｔ）されるかを明確にする必要がある。例えば、副搬送波間隔１（以下、ＳＣ１）及び副搬送波間隔２（以下、ＳＣ２）を有するＦＳ１が互いに重ねられてＳＣ２がＳＣ１の２倍である場合、それに比例してＣＰ長さをスケーリングダウンすることが好ましい場合もある。この場合、他のシンボルと比較して異なるＣＰを有する特殊シンボルがある場合、一部処理が必要である。
【００３７】
例えば、スロット（例えば、ｋ＝７）にＯＳ１...ＯＳｋからのＯＦＤＭシンボル（ＯＳ）とサブフレームにＯＳ１...ＯＳ２ｋからのＯＳが存在すると仮定することができる。また、ＯＳ１は、ＳＣ１で他のＯＳより長いＣＰを有すると仮定することができる。この場合、ＳＣ１と整列されたＳＣ２のＣＰ処理は、下記に説明された少なくとも一つのオプションに従うことができる。
【００３８】
（１）ＯＳレベルに：ＳＣ２のＯＳ１とＯＳ２のＣＰは、ＳＣ１のＯＳ１のＣＰでスケーリングダウンされることができる。即ち、ＳＣ１の第１のＯＳに対応するＳＣ２内の２個のＯＳのＣＰは、ＳＣ１のＣＰから半分へ減少されることができる。ＳＣ２で他のＯＳのＣＰは、数式［ＯＳｍのＣＰ＝ＯＳｉのＣＰ／２］によりスケーリングダウンされたり決定されたりすることができる。ここで、ｍ＝２＊ｉである。以下の説明を介してこのようなアプローチが仮定されることができる。
【００３９】
（２）スロット境界レベル（例えば、ＯＳ１...ＯＳｋ）に：ＳＣ１のスロット／サブフレーム境界で二つのヌメロロジーが整列されることができる。この場合、余分のＣＰ長さがＳＣ１の特定ＯＳと重なるＳＣ２内の任意のＯＳ（即ち、ＯＳ１...ＯＳｋ）に適用されることができる。例えば、ＳＣ２の第１のＯＳは、余分のＣＰ長さを運ぶことができる。その代案として、ＳＣ２の最初の２個のＯＳは、余分のＣＰ長さを運ぶことができる。
【００４０】
（３）ＳＣ２のスロット／サブフレーム境界レベルに：ＳＣ２は、ＳＣ２＝ＳＣ１＊ｍ（ｍ＞１）である時、ＳＣ１／ｍのスロット／サブフレームの時間デュレーションと整列されることができる。ＳＣ１の一つのスロット／サブフレームデュレーションは、同等にｍに分割されることができ、ＳＣ２のスロット／サブフレームデュレーションは、ＳＣ１の同一に分割されたデュレーションと常に整列されることができる。このオプションは、前記説明したオプション（２）の特殊な場合である。
【００４１】
（４）マルチスロット／サブフレーム境界レベルに：二つのヌメロロジーがマルチサブフレームレベルに整列されることができる。例えば、ＳＣ２のｍ個のスロットがＳＣ１のｎ個のスロットにわたって配置されることができる。このオプションは“非整列ケース”と同様である。しかし、このオプションを異なるＣＰと共に使用し、ＳＣ１の‘ｎ’スロットで少なくとも整列が実現可能である。例えば、３．７５ｋＨｚ副搬送波間隔の１個のスロットは、１５ｋＨｚ副搬送波間隔の４個のスロットと整列され、３．７５ｋＨｚ副搬送波間隔で少しのマージンを有する。
【００４２】
システムに二つ以上のヌメロロジーがある。この場合、基準副搬送波間隔が定義されることができる。基準副搬送波間隔は、例えば、１５ｋＨｚまたはＬＴＥヌメロロジーに固定されることができる。または、基準副搬送波間隔は、上位層（例えば、３０ｋＨｚ）により構成されることができる。または、基準副搬送波間隔は、暗示的にセル探索を介して決定されることができる。基準副搬送波間隔に対しては、スロットまたはサブフレームで７ＯＳで構成され、一つのＯＳは、他のＯＳと比較して特殊ＣＰ長さを有することができる。例えば、１５ｋＨｚ副搬送波間隔は、６ＧＨｚ未満で基準副搬送波間隔であり、６０ｋＨｚ副搬送波間隔は、６ＧＨｚ以上で基準副搬送波間隔である。また、多数の特殊ＯＳが存在でき、本発明で説明されたメカニズムは、再帰的に適用されることができる。この場合、重なったフレーム構造が基準副搬送波間隔から始まるようにサブフレームを矯正（ｅｌａｂｏｒａｔｅ）する必要がある。即ち、シンボルレベル整列で、基準副搬送波間隔の一つの特殊ＯＳが構成されることができ、ｍ＊ＣＰ１がＳＣ０内の特殊ＯＳに対応するｍ個のＯＳにわたって分布するように、基準副搬送波間隔内の他のＯＳのＣＰが構成されることができる。ＣＰ１は、特殊ＯＳのＣＰであり、ｍはＳＣｍ＝ｍ＊ＳＣ０であり、ＳＣ０は、基準副搬送波間隔である。ｍが１より小さい場合、ＳＣ０の該当ＯＳから特殊ＯＳへの任意の対応するＯＳは、特殊措置を有することができる。他方、スロット境界レベル整列内で、ＣＰ形成は、可能な限り同様に互いに整列されることができる（即ち、ＣＰｘ、ＣＰ２...ＣＰ２（７ＯＳ）であり、ここで、ＣＰ２は、ＳＣ０で一般ＯＳのＣＰ長さであり、ＳＣｍのサブフレームまたはスロットインデックスｉがｉ／ｍ＝０（ｍ＞１である場合）であり、ｉ％１／ｍ＝０（ｍ＜１）である場合、ＣＰｘはＣＰ１であり、そうでない場合、ＣＰｘはＣＰ２である）。
【００４３】
以下の説明で、サブフレームまたはスロットは、７ＯＳのデュレーションを示すことができる。多重サブフレーム／スロット境界レベル整列に、ＣＰｘは、多様なパターンによってまたは均等に分配されることができる。例えば、ＳＣｍのサブフレーム毎に全ての第１のＯＳのＣＰｘはＣＰ１である（ｍ＞１である場合）。
【００４４】
３ＧＰＰ  ＬＴＥにおいて、１５ｋＨｚ副搬送波間隔を有する２０４８のＦＦＴ（ｆａｓｔ  Ｆｏｕｒｉｅｒ  ｔｒａｎｓｆｏｒｍ）大きさを有する場合、Ｔｓは、１／（１５０００＊２０４８）に定義される。表１は、ＦＦＴ大きさ及び副搬送波間隔によって、３ＧＰＰ  ＬＴＥのＴｓに基づくＴｓの他の表現を示す。表１に記載されていないとしても、他の副搬送波間隔、例えば、１２０または２４０ｋＨｚ副搬送波間隔、または他のＦＦＴ大きさに対して、表１が単純に拡張されることができる。
【００４５】
【表１】
2019518377.tif 000003
【００４６】
１５ｋＨｚ副搬送波間隔が基準副搬送波間隔であり、ネットワークが６ＧＨｚ以下で１５、３０、６０ｋＨｚ副搬送波間隔を使用すると、表１に列挙されたオプションのうち一つが提示されることができる。６０ｋＨｚ副搬送波間隔が基準副搬送波間隔であり、ネットワークが６ＧＨｚ以上で６０、１２０、２４０ｋＨｚ副搬送波間隔を使用すると、表１の１５、３０、６０ｋＨｚに対応できる。
【００４７】
スロット内の基準副搬送波間隔に対するＣＰ長さの基本オプションに対して説明する。これは異なる副搬送波間隔間の重なったフレーム構造を考慮せずに識別される。一部の値は、重複フレーム構造をサポートするために互換可能である。異なるヌメロロジー間の整列を処理するメカニズムによって異なるオプションが同時に使われることができる。ＣＰオプション生成の基本規則は、下記のように要約されることができる。
【００４８】
（１）Ａｌｔ１：サブフレームデュレーションは“Ｄ”と仮定され、これは３ＧＰＰ  ＬＴＥのＤＬサブフレームデュレーションである。ＣＰを含む７ＯＳは、任意の残り（ｌｅｆｔ−ｏｖｅｒ）無しで“Ｄ”を実行することができる。基本ＣＰ長さ（より小さい値）を提供するＣＰが同等に分けられ、残り（ｌｅｆｔ−ｏｖｅｒ）がある場合、一つまたは一部ＯＳに残りが追加されることができる。
【００４９】
（２）Ａｌｔ２：前記説明したＡｌｔ１と同様であるが、ＣＰは、予約された残り（ｒｅｓｅｒｖｅｄ  ｌｅｆｔ−ｏｖｅｒ）で均等に分けることができる。
【００５０】
（３）Ａｌｔ３：異なる副搬送波間隔及び／またはヌメロロジーを可能な限りシンボルレベルで基準副搬送波間隔またはヌメロロジーと整列するために、必要なＣＰ処理が達成されることができる。例えば、ＣＰｘは、ＳＣ０（即ち、基準副搬送波間隔）でＯＳｘのＣＰ長さであると仮定されることができる。ＯＳｘと重なったＳＣ１でのＯＳｙ（ｓ）のＣＰｙに対して、ＣＰｙはＣＰｘ／ｍであり、ここで、ＳＣ１＝ｍ＊ＳＣ０（ｍ＞１）である。ＯＳｘ（ｓ）と重なったＳＣ２でのＯＳｙのＣＰｙに対して、ＣＰｙは、重複ＣＰｘ（ｍ＜１）のｓｕｍ（ＣＰｘ）である。
【００５１】
ＣＰｙが整数値でない場合、下記のオプションのうち少なくとも一つが使われることができる。
【００５２】
１）残りを回避するために、全てのＣＰｙが収集されることができ、前記説明したＡｌｔ１が適用されることができる。即ち、このオプションとＡｌｔ１との間にはＣＰ決定メカニズムのみが異なる。
【００５３】
２）フロアー値（ｆｌｏｏｒ  ｖａｌｕｅ）が取られることができ、前記説明したＡｌｔ２が適用されることができる。即ち、このオプションとＡｌｔ２との間にはＣＰ決定メカニズムのみが異なる。
【００５４】
３）２個または多数のＯＳのＣＰが加算され、２または多数の整数値に分割されることができる。例えば、ＯＳ１及びＯＳ２に対する４．５、４．５に対して、合計値９は、各々、ＯＳ１及びＯＳ２に対して５及び４に分割されることができる。
【００５５】
ＦＦＴ大きさがＳＣ０とＳＣ１の相互間で異なる場合、ＯＳｘと重なったＳＣ１でＯＳｙ（ｓ）のＣＰｙに対して、ＣＰｘはＣＰｘ／ｍ／ｎであり、ここで、ＳＣ１＝ｍ＊ＳＣ０（ｍ＞１）であり、ＦＦＴ（ＳＣ１）＝ＦＦＴ（ＳＣ０）／ｎである。ＯＳｘ（ｓ）と重なったＳＣ２でＯＳｙのＣＰｙに対して、ＣＰｙは、重なったＣＰｘ（ｍ＜１）のｓｕｍ（ＣＰｘ）／ｎであり、ここで、ＦＦＴ（ＳＣ２）＝ＦＦＴ（ＳＣ０）／ｎである。
【００５６】
ＣＰｙが整数値でない場合、下記のオプションのうち少なくとも一つが使われることができる。
【００５７】
１）残りを回避するために、全てのＣＰｙが収集されることができ、前記説明したＡｌｔ１が適用されることができる。即ち、このオプションとＡｌｔ１との間にはＣＰ決定メカニズムのみが異なる。
【００５８】
２）フロアー値（ｆｌｏｏｒ  ｖａｌｕｅ）が取られ、前記説明したＡｌｔ２が適用されることができる。即ち、このオプションとＡｌｔ２との間ではＣＰ決定メカニズムのみが異なる。
【００５９】
３）２個または多数のＯＳのＣＰが加算され、２または多数の整数値に分割されることができる。例えば、ＯＳ１及びＯＳ２に対する４．５、４．５に対して、合計値９は、各々、ＯＳ１及びＯＳ２に対して５及び４に分割されることができる。
【００６０】
例えば、１５ｋＨｚ副搬送波間隔及び１２８ＦＦＴ大きさの場合、スロット内のＣＰ長さは｛１０、９、９、９、９、９、９｝である。
【００６１】
例えば、３０ｋＨｚ副搬送波間隔及び１２８ＦＦＴ大きさの場合、偶数スロット／奇数スロット内のＣＰ長さは｛１０、１０、９、９、９、９、９｝｛９、９、９、９、９、９、９｝である。
【００６２】
例えば、３０ｋＨｚ副搬送波間隔及び６４ＦＦＴ大きさの場合、ＣＰ長さは｛５、５、４、５、４、５、４｝｛５、４、５、４、５、４、５｝である。
【００６３】
例えば、３０ｋＨｚ副搬送波間隔及び３２ＦＦＴ大きさの場合、ＣＰ長さは｛３、２、２、２、３、２、２｝｛２、３、２、２、２、３、２｝ｏｒ｛３、２、２、３、２、２、２｝｛３、２、２、２、３、２、２｝である。
【００６４】
例えば、６０ｋＨｚ副搬送波間隔及び１２８ＦＦＴ大きさの場合、ＣＰ長さは（２８ＯＳに繰り返される）第１のスロットから第４のスロットまで｛１０、１０、１０、１０、９、９、９｝｛９、９、９、９、９、９、９｝｛９、９、９、９、９、９、９｝｛９、９、９、９、９、９、９｝である。
【００６５】
例えば、６０ｋＨｚ副搬送波間隔及び６４ＦＦＴ大きさの場合、ＣＰ長さは（２８ＯＳに繰り返される）第１のスロットから第４のスロットまで｛５、５、５、５、５、４、５｝｛４、５、４、５、４、５、４｝｛５、４、５、４、５、４、５｝｛４、５、４、５、４、５、４｝または｛５、５、５、５、４、５、４｝｛５、４、５、４、５、４、５｝｛４、５、４、５、４、５、４｝｛５、４、５、４、５、４、５｝である。
【００６６】
例えば、６０ｋＨｚ副搬送波間隔及び３２ＦＦＴ大きさの場合、ＣＰ長さは（２８ＯＳに繰り返される）第１のスロットから第４のスロットまで｛３、２、３、２、３、２、２｝｛２、３、２、２、２、３、２｝｛２、２、３、２、２、２、３｝｛２、２、２、３、２、２、２｝または｛３、２、３、２、２、３、２｝｛２、２、３、２、２、２、３｝｛２、２、２、３、２、２、２｝｛３、２、２、２、３、２、２｝である。
【００６７】
表２は、ＣＰ長さの基本オプションを示す。
【００６８】
【表２】
2019518377.tif 000004
【００６９】
【表３】
2019518377.tif 000005
【００７０】
【表４】
2019518377.tif 000006
【００７１】
【表５】
2019518377.tif 000007
【００７２】
【表６】
2019518377.tif 000008
【００７３】
【表７】
2019518377.tif 000009
【００７４】
二つのケースが考慮されることができる。第１のケースは、同じＦＦＴ大きさが仮定される。したがって、サンプリングレートは、副搬送波間隔によって線形的に増加することができる。第２のケースは、同じサンプリングレートが維持される、即ち、ＦＦＴ大きさが減少されることである。以下の説明で、ＣＰ１は、それぞれの場合でＴｓ−ｘでより大きいＣＰである（ＣＰ長さに基づいてＴｓ−ｘが基準副搬送波間隔に対するものと仮定）。例えば、１５ｋＨｚ副搬送波間隔及び２０４８ＦＦＴ大きさを有するＣＰ１＝１６０であり、３０ｋＨｚ副搬送波間隔及び２０４８ＦＦＴ大きさを有するＣＰ１＝１６０であり、３０ｋＨｚ副搬送波間隔及び１０２４ＦＦＴ大きさを有するＣＰ１＝８０である。そして、ＣＰ２は、それぞれの場合でＴｓ−ｘでより小さいＣＰである。即ち、ＣＰ１は、特殊ＯＳのＣＰ長さであり、ＣＰ２は、残りのＯＳに使われることができる。
【００７５】
（１）第１のケース：同じＦＦＴ大きさが仮定される。
【００７６】
図６は、本発明の一実施例に係るＣＰ長さの例を示す。図６に示すように、異なる副搬送波間隔及び／またはヌメロロジーは、シンボルレベルで整列される。基準副搬送波間隔は、１５ｋＨｚと仮定することができる。１５ｋＨｚ副搬送波間隔（ＳＣ０）で、ＣＰ長さは、第１のＯＳがＣＰ１を有し、残りのＯＳ（６ＯＳ）がＣＰ２を有するように構成されることができる。３０ｋＨｚ副搬送波間隔（ＳＣ０＊２＝ＳＣ１）で、ＣＰ長さは、第１及び第２のＯＳがＣＰ１／２を有し、残りのＯＳ（１２ＯＳ）がＣＰ２／２を有するように構成されることができる。６０ｋＨｚ副搬送波間隔（ＳＣ０＊４＝ＳＣ２）で、ＣＰ長さが第１乃至第４のＯＳがＣＰ１／４を有し、残りのＯＳ（２４ＯＳ）がＣＰ２／４を有するように構成されることができる。７．５ｋＨｚ副搬送波間隔（ＳＣ０／２）で、ＣＰ長さは、第１のＯＳがＣＰ１＋ＣＰ２を有し、残りのＯＳは、ＣＰ２＊２を有するように構成されることができる。３．７５ｋＨｚ副搬送波間隔（ＳＣ０／４）で、ＣＰ長さは、第１のＯＳがＣＰ１＋３＊ＣＰ２を有し、残りのＯＳがＣＰ２＊４を有するように構成されることができる。この場合、ＣＰ長さのオプションは、以下の表３により表現されることができる。
【００７７】
【表８】
2019518377.tif 000010
【００７８】
表４は、副搬送波間隔によるＣＰ長さの一例を示し、これは参照に過ぎず、ＬＴＥに基づく表３より詳細に記載されている。
【００７９】
【表９】
2019518377.tif 000011
【００８０】
図７は、本発明の一実施例に係るＣＰ長さの他の例を示す。図７に示すように、異なる副搬送波間隔及び／またはヌメロロジーは、スロットまたはサブフレームレベルで整列される。このような場合、ＣＰ長さのオプションは、以下の表５により表現されることができる。
【００８１】
【表１０】
2019518377.tif 000012
【００８２】
表６は、スロット／サブフレームレベル整列でのみ重なったフレーム構造に対するＣＰ長さのオプションを示す。このオプションでは基本ＣＰオプションの任意の組み合わせを使用することができる。
【００８３】
【表１１】
2019518377.tif 000013
【００８４】
異なる副搬送波間隔及び／またはヌメロロジーが多重スロット／サブフレームレベルで整列される場合、表２の任意のセットが使われることができる。
【００８５】
（２）第２のケース：より大きい副搬送波間隔に対してＦＦＴ大きさが減少される（即ち、同じサンプリング速度が仮定される）
【００８６】
このような場合、第１のケースでＣＰ１（ＳＣ０）はＣＰ１（ＳＣ０）／ｍに代替されることができ、ここで、ｍは（２^ｍスケールを仮定して）ＳＣ０のＦＦＴ大きさ／ＳＣ１のＦＦＴ大きさである。また、１５ｋＨｚ副搬送波間隔に対して１２８ＦＦＴ大きさを有する１．４ＭＨｚ帯域幅が使われると仮定することができる。また、このような場合に異なるヌメロロジー間の整列は、多数のサブフレームレベルでみたされる。
【００８７】
以下は例示である。
【００８８】
Ａ．３０ｋＨｚ副搬送波間隔に対して、
【００８９】
１）ＳＦ０：｛１０、１０、９、９、９、９、９｝／ＳＦ１：｛９、９、９、９、９、９、９｝
【００９０】
２）ＳＦ０：｛１１、９、９、９、９、９、９｝／ＳＦ１：｛９、９、９、９、９、９、９｝
【００９１】
３）サブフレーム境界を１５ｋＨｚ副搬送波間隔のスロット境界と整列しない。
【００９２】
ＳＦ０：｛１０、９、９、９、９、９、９｝／ＳＦ１：｛１０、９、９、９、９、９、９｝
【００９３】
Ｂ．６０ｋＨｚ副搬送波間隔に対して、
【００９４】
１）ＳＦ０：｛１０、１０、１０、１０、９、９、９｝／ＳＦ１：｛９、９、９、９、９、９、９｝／ＳＦ２：｛９、９、９、９、９、９、９｝／ＳＦ３：｛９、９、９、９、９、９、９｝
【００９５】
２）ＳＦ０：｛１１、１１、９、９、９、９、９｝／ＳＦ１：｛９、９、９、９、９、９、９｝／ＳＦ２：｛９、９、９、９、９、９、９｝／ＳＦ３：｛９、９、９、９、９、９、９｝
【００９６】
３）ＳＦ０：｛１３、９、９、９、９、９、９｝／ＳＦ１：｛９、９、９、９、９、９、９｝／ＳＦ２：｛９、９、９、９、９、９、９｝／ＳＦ３：｛９、９、９、９、９、９、９｝
【００９７】
４）ＳＦ０：｛１２、１０、９、９、９、９、９｝／ＳＦ１：｛９、９、９、９、９、９、９｝／ＳＦ２：｛９、９、９、９、９、９、９｝／ＳＦ３：｛９、９、９、９、９、９、９｝
【００９８】
５）ＳＦ０：｛１０、１０、９、９、９、９、９｝／ＳＦ１：｛１０、１０、９、９、９、９、９｝／ＳＦ２：｛９、９、９、９、９、９、９｝／ＳＦ３：｛９、９、９、９、９、９、９｝
【００９９】
６）ＳＦ０：｛１２、９、９、９、９、９、９｝／ＳＦ１：｛１０、９、９、９、９、９、９｝／ＳＦ２：｛９、９、９、９、９、９、９｝／ＳＦ３：｛９、９、９、９、９、９、９｝
【０１００】
７）ＳＦ０：｛１１、９、９、９、９、９、９｝／ＳＦ１：｛１１、９、９、９、９、９、９｝／ＳＦ２：｛９、９、９、９、９、９、９｝／ＳＦ３：｛９、９、９、９、９、９、９｝
【０１０１】
８）サブフレーム境界を３０ｋＨｚ副搬送波間隔と整列しない。
【０１０２】
ＳＦ０：｛１０、９、９、９、９、９、９｝／ＳＦ１：｛１０、９、９、９、９、９、９｝／ＳＦ２：｛１０、９、９、９、９、９、９｝／ＳＦ３：｛１０、９、９、９、９、９、９｝
【０１０３】
９）サブフレーム境界を３０ｋＨｚ副搬送波間隔と整列しない。
【０１０４】
ＳＦ０：｛１０、１０、９、９、９、９、９｝／ＳＦ１：｛９、９、９、９、９、９、９｝／ＳＦ２：｛１０、１０、９、９、９、９｝／ＳＦ３：｛９、９、９、９、９、９、９｝
【０１０５】
１０）サブフレーム境界を３０ｋＨｚ副搬送波間隔と整列しない。
【０１０６】
ＳＦ０：｛１１、９、９、９、９、９、９｝／ＳＦ１：｛９、９、９、９、９、９、９｝／ＳＦ２：｛１１、９、９、９、９、９、９｝／ＳＦ３：｛９、９、９、９、９、９、９｝
【０１０７】
１１）サブフレーム境界を３０ｋＨｚ副搬送波間隔と整列しない。
【０１０８】
ＳＦ０：｛１２、９、９、９、９、９、９｝／ＳＦ１：｛９、９、９、９、９、９、９｝／ＳＦ２：｛１０、９、９、９、９、９、９｝／ＳＦ３：｛９、９、９、９、９、９、９｝
【０１０９】
前述したオプション及びアプローチを考慮すると、表７乃至表９は、各々、１５ｋＨｚ、３０ｋＨｚ及び６０ｋＨｚ副搬送波間隔に対するスロット構造を示す。表７乃至表９において、サンプリングレートは、３ＧＰＰ  ＬＴＥでの現在サンプルレートのように、全ての副搬送波間隔に対して３０７２０（＝１５＊２０４８）と仮定されることができる。しかし、サンプリングレートは、異なる副搬送波間隔に対して異なる。
【０１１０】
【表１２】
2019518377.tif 000014
【０１１１】
【表１３】
2019518377.tif 000015
【０１１２】
【表１４】
2019518377.tif 000016
【０１１３】
【表１５】
2019518377.tif 000017
【０１１４】
【表１６】
2019518377.tif 000018
【０１１５】
２．搬送波内で多様なヌメロロジーを多重化（Ｍｕｌｔｉｐｌｅｘｉｎｇ  ｄｉｆｆｅｒｅｎｔ  ｎｕｍｅｒｏｌｏｇｉｅｓ  ｉｎ  ａｃａｒｒｉｅｒ）
【０１１６】
単一搬送波で多数の異なるヌメロロジーをサポートするために、多数の異なるレベルのＦＤＭが考慮されることができる。
【０１１７】
図８は、本発明の一実施例によって単一搬送波で異なるヌメロロジーを多重化する例を示す。図８に示すように、最も大きい副搬送波間隔と仮定されたリソースユニットに基づいて多重化がサポートされることができる。即ち、ＦＤＭ多重化は、１ｍｓレベルにサポートされることができる。この場合、基準副搬送波間隔は１５ｋＨｚである。
【０１１８】
図９は、本発明の一実施例によって単一搬送波で異なるヌメロロジーを多重化する他の例を示す。図９に示すように、異なるヌメロロジー及び／または副搬送波間隔は、基準副搬送波間隔のスロットレベルまたは中間大きさ副搬送波間隔のサブフレームレベルで多重化されることができる。
【０１１９】
図１０は、本発明の一実施例によって単一搬送波で異なるヌメロロジーを多重化する他の例を示す。図１０に示すように、異なるヌメロロジー及び／または副搬送波間隔は、最も大きい副搬送波間隔のサブフレームレベルまたはスロットレベルで多重化されることができる。この場合、基準副搬送波間隔は６０ｋＨｚである。
【０１２０】
前記説明した多重化メカニズムによってフレーム構造が異なる。例えば、図８に示すように、多重化の観点で、ＳＣ１のｋ１個のＴＴＩ（１５ｋＨｚ副搬送波間隔）、ＳＣ２のｋ２個のＴＴＩ（３０ｋＨｚ副搬送波間隔）及びＳＣ３のｋ３個のＴＴＩ（６０ｋＨｚ副搬送波間隔）がＳＣ１のサブフレーム内で整列が必要である。例えば、ｋ１＝１、ｋ２＝３及びｋ３＝４である。それぞれの副搬送波間隔のそれぞれのサブフレーム内で、異なるマッピングまたは異なる短いＴＴＩ形成が考慮されることができる。図９に示す多重化メカニズムが使われると、異なる基準副搬送波間隔（この場合、基準副搬送波間隔は、ＳＣ２である）のサブフレームレベルまたはサブフレームよりはスロットレベルで整列が実行されることができる。図１０に示す多重化メカニズムが使われると、多重化は、他のものと比較してより小さいグラニュラリティ（ｇｒａｎｕｌａｒｉｔｙ）で実行されることができるが、フレーム構造に対してより多くの考慮が要求される。
【０１２１】
図１１は、本発明の一実施例に係る異なる副搬送波間隔の多重化を考慮したフレーム構造の一例を示す。図１１に示すように、ただ１ｍｓレベルまたは基準副搬送波間隔のサブフレームレベルで整列が実行され、ミニサブフレームは、異なるヌメロロジー毎に独立的に定義されることができる。
【０１２２】
図１２は、本発明の一実施例に係る異なる副搬送波間隔の多重化を考慮したフレーム構造の他の例を示す。図１２を参照すると、ミニサブフレームで異なる数のＯＳを誘導するヌメロロジーにかかわらず、ミニサブフレーム長さは同一に維持される。
【０１２３】
図１３は、本発明の一実施例に係る異なる副搬送波間隔の多重化を考慮したフレーム構造の他の例を示す。図１３を参照すると、異なるヌメロロジー間の整列のためにスロット内のミニサブフレームレベルが使われることができる。
【０１２４】
図１４は、本発明の一実施例に係る異なる副搬送波間隔の多重化を考慮したフレーム構造の他の例を示す。図１４を参照すると、ミニサブフレーム（例えば、基準副搬送波間隔の２ＯＳ）は、異なるヌメロロジーで異なる数のＯＳを誘導するヌメロロジーにかかわらず同じデュレーションに維持され、それに対し、サブフレーム長さは、副搬送波間隔にスケーリングされることができる。
【０１２５】
以下の説明で、ＳＣ１（１５ｋＨｚ副搬送波間隔）、ＳＣ２（３０ｋＨｚ副搬送波間隔）及びＳＣ３（６０ｋＨｚ副搬送波間隔）間の多重化に主に焦点を合わせる、より迅速なスケール多重化（図１３または図１４に示す）をサポートする方法が主に提示される。言及されていないが、ＳＣ０は、３．７５ｋＨｚ副搬送波間隔または７．５ｋＨｚ副搬送波間隔である。一般的に１５ｋＨｚ、７．５ｋＨｚ及び３．７５ｋＨｚ間の多重化は、１５ｋＨｚ副搬送波間隔に基づいていると仮定できる。したがって、３．７５ｋＨｚ、７．５ｋＨｚ、１５ｋＨｚ、３０ｋＨｚ及び６０ｋＨｚの全ての副搬送波間隔が多重化されると、潜在的に２個の基準副搬送波間隔が使われることができる。また、３．７５ｋＨｚ副搬送波間隔または７．５ｋＨｚ副搬送波間隔に短いＴＴＩが適用される場合、本発明で言及された概念が一般的に適用されることができる。しかし、ＣＰ形成及びＴＴＩ長さ形成のための基準副搬送波間隔は、互いに異なる。例えば、ＣＰ形成のための基準副搬送波間隔は、１５ｋＨｚ副搬送波間隔であり、それに対し、ＴＴＩ形成のための基準副搬送波間隔は、６０ｋＨｚ副搬送波間隔である。混乱を回避するために、本発明で言及された基準副搬送波間隔は、後者を言及し、アプローチによって２個の値が互いに異なる。
【０１２６】
互いに異なる短いＴＴＩ（ｓＴＴＩ）長さなどで同じ周波数で異なるヌメロロジーを多重化する場合、互いに異なる副搬送波間隔間でいくつかの考慮事項が与えられなければならない。ｓＴＴＩ長さの観点で、絶対時間は、ｓＴＴＩの異なるＯＳを決定することができる副搬送波間隔にかかわらず同一である。ｓＴＴＩの最小長さが基準副搬送波間隔であるＳＣ１でサポートされると、ＳＣ２及びＳＣ３の長さ（ＳＣ２＝２＊ＳＣ１、ＳＣ３＝４＊ＳＣ１と仮定）は、ＳＣ１のｓＴＴＩ長さの２倍及び４倍になることができる。より一般的に、ＳＣ２＝ｍ＊ＳＣ１の場合、ｓＴＴＩ長さは、ｍ＊ＳＣ１になることができ、ＳＣ３＝ｎ＊ＳＣ１の場合、ＳＣ３のｓＴＴＩ長さは、ｎ＊ＳＣ１になることができる。この場合、ＳＣ１のｓＴＴＩ長さを‘ｋ’ＯＦＤＭシンボルの場合、ＳＣ２のｓＴＴＩ長さは、ｋ＊ｍになることができ、ＳＣ３の長さは、ｋ＊ｎになることができる。
【０１２７】
図１５は、本発明の一実施例によって単一搬送波で異なるヌメロロジーを多重化する他の例を示す。この実施例において、ｋ＝１または２と仮定する。これは異なる副搬送波間隔間に整列のためのものであり、異なるヌメロロジーで異なるｓＴＴＩを多重化するためである。図１５を参照すると、異なるヌメロロジーを多重化するための最小時間単位は、ＳＣ１に基づく‘ｋ’ＯＦＤＭシンボルである。
【０１２８】
図１６は、本発明の一実施例によって単一搬送波で異なるヌメロロジーを多重化する他の例を示す。この実施例において、ｋ＝３または４と仮定する。ヌメロロジーでより短いＴＴＩが考慮される。例えば、ＳＣ３の場合、１２ＯＳを３＊４ＯＳ  ｓＴＴＩまたは６＊２ＯＳ  ｓＴＴＩに分割することが考慮されることができる。
【０１２９】
図１７は、本発明の一実施例によって単一搬送波で異なるヌメロロジーを多重化する他の例を示す。ミニサブフレームレベルまたはより短いＴＴＩレベルで異なるヌメロロジー間の柔軟な多重化が必要な場合に、このフレーム構造が必要である。この場合、二つのｓＴＴＩ間のＯＳは、‘ｋ’の一定の値を有するように重なる。
【０１３０】
ｓＴＴＩの線形スケールバージョンの他の例は、ｋ１個のＯＳのＳＣ３及びｋ１／（ｎ／ｍ）個のＯＳのＳＣ１をｓＴＴＩの基本単位及びｋ１／ｎ個のＯＳのＳＣ２に定義する。例えば、ＳＣ３＝４＊ＳＣ１、ＳＣ２＝２＊ＳＣ１であり、ＳＣ３のｓＴＴＩ長さが４ＯＳである場合、ｓＴＴＩ長さは、ＳＣ２で２ＯＳになり、ＳＣ１で１ＯＳになる。スロットに対してｋ１が使われることができる。ＳＣ３で１ｍｓに奇数のスロットがあり（例えば、６０ｋＨｚ副搬送波間隔を仮定し、１ｍｓに７個のスロットがある）、一つのサブフレームは２個のスロットであり、全８個のＯＳで構成されることができる。以後、ＳＣ３の一つのサブフレームは、８個のＯＳで構成されることができ、ＳＣ２の一つのサブフレームは、４個のＯＳで構成されることができ、ＳＣ１の一つのサブフレームは、２個のＯＳで構成されることができる。ＳＣ３の一つのサブフレームは、１ｍｓ境界を介してわたっている。したがって、２ｍｓは、多重化デュレーションの基本単位と見なされる。異なるヌメロロジーを多重化する最小大きさは、最も短いＴＴＩまたは最大副搬送波間隔の一サブフレームになることができる（即ち、この例において、ＳＣ３で８＊ＯＳ）。
【０１３１】
要約すると、フレーム構造をサポートするために、下記のように異なるアプローチが考慮されることができる。
【０１３２】
−基本サブフレーム長さは、多重化ガイドラインのために使われる基準副搬送波間隔の最小‘ｋ’を仮定し、各副搬送波間隔別に固定されることができる。例えば、基準副搬送波間隔は、１５ｋＨｚであり、または上位層により構成されることができる。ＳＣｉの基本サブフレーム長さは、ｋ＊ｍに定義されることができ、ＳＣｉ＝ＳＣ０＊ｍ（ＳＣ０は、基準副搬送波間隔）である。前述したように、ＳＣｉ内でより短いＴＴＩに分割されることもでき、これはｋ＊ｍが大きい場合に特に有用である。
【０１３３】
−各副搬送波間隔のサブフレーム長さは、チャネル、データなどに対する物理的マッピングに使われるＳＣで‘Ｌ’ＯＳに定義されることができる。短いＴＴＩレベルで多重化が可能である場合、マッピングは変わることができる。
【０１３４】
−基本サブフレーム長さは、同じ搬送波でサポートされる最も短いＴＴＩまたは最も大きい副搬送波間隔に基づいて固定されることができ、ＯＳ長さによってスケーリングアップされることができる。これは多重化目的として使われることができ、チャネルマッピングは、ｓＴＴＩが多重化目的として使われるかどうかによって、副搬送波間隔毎に異なる。例えば、ＳＣ３＝４＊ＳＣ０に基づいて、ＳＣ３のサブフレームは、１６個のＯＳで構成され、ＳＣ２のサブフレームは、８個のＯＳで構成され、ＳＣ１のサブフレームは、４個のＯＳで構成されると仮定することができる。他の例として、２ｍｓにわたって基準副搬送波間隔として１５ｋＨｚ副搬送波間隔を有する場合、ＳＣ３／ＳＣ２／ＳＣ１の７個のサブフレームが存在でき、ＳＣ３の最小多重化大きさは、１６個のＯＳになることができる。ＳＣ２及びＳＣ１に対して、このマッピングは、ｓＴＴＩがそれぞれの副搬送波間隔で構成される場合（または、多重化が上位層構成により使用可能になった場合）にのみ使われることができる。
【０１３５】
他の特定例は、６０ｋＨｚ副搬送波間隔に対して８ＯＳに定義し、３０ｋＨｚ副搬送波間隔に対して７ＯＳに定義し、１５ｋＨｚ副搬送波間隔に対して７ＯＳに定義し、下記のように短いＴＴＩを定義する。
【０１３６】
−６０ｋＨｚ副搬送波間隔で、２または４ＯＳ  ｓＴＴＩが考慮されることができる。
【０１３７】
−３０ｋＨｚ副搬送波間隔で、２または４ＯＳ  ｓＴＴＩが考慮されることができ、これは３０ｋＨｚ副搬送波間隔の多数のサブフレームを介してわたっている。
【０１３８】
−１５ｋＨｚ副搬送波間隔で、２または４ＯＳ  ｓＴＴＩが考慮されることができ、これは１５ｋＨｚ副搬送波間隔の多数のサブフレームを介してわたっている。
【０１３９】
図１８は、本発明の一実施例によって単一搬送波で異なるヌメロロジーを多重化する他の例を示す。図１８を参照すると、多重化に使われた最も大きい副搬送波間隔に対するサブフレームは、より小さい副搬送波間隔ヌメロロジーのｓＴＴＩ長さを定義するための基準として使われることができる。拡張ＣＰが使われると、ＳＣ３のサブフレームは、１２個のＯＳで構成されることができる。したがって、ＳＣ２でのｓＴＴＩ長さとＳＣ１でのｓＴＴＩ長さは、各々、６ＯＳと３ＯＳである。
【０１４０】
図１９は、本発明の一実施例によって単一搬送波で異なるヌメロロジーを多重化する他の例を示す。図１９を参照すると、基準副搬送波間隔が１５ｋＨｚと仮定することができる。この実施例において、各ヌメロロジーのサブフレーム及び／またはミニサブフレーム及び／またはスロットは、基準副搬送波間隔（または、ＳＣ０）のヌメロロジーのミニサブフレーム／スロット／サブフレームと整列される。ＳＣ０に対して、３個の異なるＴＴＩ長さが提供されることができる：ｋ１ＯＳ、ｋ２ＯＳ、ｋ３ＯＳ（例えば、ｋ１＝２、ｋ２＝７、ｋ３＝１４）。ＳＣ１＝ＳＣ０＊２に対して、２個の異なるＴＴＩ長さが提供されることができる：ｋ１＊２ＯＳ、ｋ２＊２ＯＳ。ＳＣ２＝ＳＣ０＊４に対して、一つのＴＴＩ長さが提供されることができる：ｋ１＊４ＯＳ。このようなアプローチは、一般的なケースに拡張されることができ、１５ｋＨｚは、基準副搬送波間隔（ＳＣ０）に代替されることができる（即ち、３０ｋＨｚ及び６０ｋＨｚは、各々、２＊ＳＣ０及び４＊ＳＣ０に代替されることができる）。
【０１４１】
前述したように、異なるＴＴＩは、搬送波で使われる基本ヌメロロジーに基づいて提供される。基本ヌメロロジーは、キャリアアグリゲーション（ＣＡ；ｃａｒｒｉｅｒ  ａｇｇｒｅｇａｔｉｏｎ）が構成される時、ＰＣｅｌｌ（ｐｒｉｍａｒｙ  ｃｅｌｌ）ヌメロロジーにより定義されることができる。例えば、４ＧＨｚ搬送波と３０ＧＨｚ搬送波がアグリゲーションされ、４ＧＨｚ搬送波が３０ｋＨｚ副搬送波間隔に基づいて同期信号を運んで、３０ＧＨｚ搬送波が６０ｋＨｚ副搬送波間隔に基づいて同期信号を運ぶ場合、ＰＣｅｌｌ、即ち、４ＧＨｚ搬送波に対するＴＴＩ長さは、０．５ｍｓ、０．２５ｍｓ、０．５／７ｍｓであり、ＳＣｅｌｌ（ｓｅｃｏｎｄａｒｙ  ｃｅｌｌ）のＴＴＩ長さ、即ち、３０ＧＨｚ搬送波は、０．２５ｍｓ、０．５／７ｍｓになることができる。これは異なるヌメロロジー間の整列のためのものである。
【０１４２】
これは搬送波またはＵＥ別に異なるヌメロロジーを有することを可能にする。例えば、基本ヌメロロジーとして一般ＣＰを使用する６０ｋＨｚ副搬送波間隔の３０ＧＨｚ周波数を有する搬送波があると仮定することができる。２個のＵＥがある場合、一つのＵＥは、ＳＣｅｌｌとして搬送波に連結されることができ、他のＵＥは、ＰＣｅｌｌとして搬送波に連結されることができる。この場合、与えられた搬送波に対するサブフレームは、下記の通りである。
【０１４３】
−ＳＣｅｌｌ及びＰＣｅｌｌとして連結されたＵＥに対して、基本ヌメロロジーとして１５ｋＨｚ副搬送波間隔を利用すると、一つのサブフレームは、８個のＯＳで構成されることができる。
【０１４４】
−ＰＣｅｌｌに連結されたＵＥに対して、一つのサブフレームは、１４個のＯＳで構成されることができる。
【０１４５】
異なるサブフレーム長さがサポートされる場合、これはスケジューリング複雑度に影響を与えることができる。この問題を解決するために、一つのアプローチは、ＰＣｅｌｌまたはＳＣｅｌｌにかかわらず副搬送波間隔当たりサブフレームを固定することである。この場合、搬送波がＰＣｅｌｌ／ＳＣｅｌｌにかかわらず、６０ｋＨｚ副搬送波間隔で動作すると、サブフレーム長さは、常に８ＯＳになることができる。また、多数サブフレームにわたったスケジューリングがサポートされることができる。その代案として、サブフレーム長さは、ＰＢＣＨ（ｐｈｙｓｉｃａｌ  ｂｒｏａｄｃａｓｔ  ｃｈａｎｎｅｌ）により表示されることができる。
【０１４６】
図２０は、本発明の実施例によって単一搬送波で異なるヌメロロジーを多重化する他の例を示す。図２０を参照すると、サブフレーム長さは、副搬送波間隔当たりスケーリングダウンして定義されることができ、同じ絶対時間を有することができる仮想ミニサブフレームが生成されることができる。例えば、ＳＣ０に対して２ＯＳ及び１ＯＳの２個のミニサブフレーム大きさが基本ヌメロロジーと見なされ、ＳＣ０＊２に対して２ＯＳ及びＳＣ０＊４に対して８ＯＳ及び４ＯＳが基本ヌメロロジーと各々見なされる。
【０１４７】
この場合、より大きい副搬送波間隔のミニサブフレームは、下位または基本ヌメロロジーシンボル／ミニサブフレーム境界と整列されるように異なるサブフレームを介してわたっている。即ち、異なるセットのサブフレーム長さが定義されることができる。サブフレームは、７個または１４個のＯＳに定義されることができ、ミニサブフレームは、１＊ｋまたは２＊ｋまたはｍ＊ｋ  ＯＳに定義されることができる。ここで、ｋ＝ＳＣｋ／ＳＣ０（ＳＣｋは対応する副搬送波間隔、ＳＣ０は基準副搬送波間隔）であり、ｍは、基本ヌメロロジーによりサポートされるミニサブフレームの大きさであり、これは構成可能である。
【０１４８】
３．サブフレームインデクシング（Ｓｕｂｆｒａｍｅ  ｉｎｄｅｘｉｎｇ）
【０１４９】
互いに異なるヌメロロジーが同じ時間／周波数リソースで複数のレベルのサブフレームと混合されている場合、インデックスする方法及びミニサブフレームとスケジューリングをマッピングする方法を明確にする必要がある。例えば、下記のオプションのうち少なくとも一つは、少なくともＰＣｅｌｌベースのヌメロロジーと見なされる。
【０１５０】
（１）Ａｌｔ１：サブフレーム内で一定の数のＯＳが使われることができる。サブフレーム長さは、初期セルアクセス手順を介して検索されたヌメロロジーに基づいて定義されることができる。１ｍｓまたは１０ｍｓ内で、ヌメロロジーによって異なる数のサブフレームがある。例えば、１５ｋＨｚ副搬送波間隔は、１サブフレームを誘導することができ、３０ｋＨｚ副搬送波間隔は、２サブフレームを誘導することができる。７．５ｋＨｚ及び３．７５ｋＨｚ副搬送波間隔に対して、１０ｍｓで５及び２．５サブフレームのみが存在することもあり、サブフレームがこれらのヌメロロジーと同一に維持されて有効シンボルの数が変わることができると仮定することができる。ＯＳインデックスの側面で、ＯＳインデックスは、サブフレームに基づいており、サブフレーム内のＯＳインデックス（例：０、１...１３または０、１...６、０、１...６）は、ＬＴＥと同様に使われることができる。
【０１５１】
（２）サブフレームは、１（または、ｋ）ｍｓに定義されることができ、これはヌメロロジーによってサブフレーム内で異なる個数のＯＳを誘導する。この場合、１５ｋＨｚより大きい副搬送波間隔に対してはミニサブフレームまたはサブサブフレームを介して他のインデクシングが必要であり、１５ｋＨｚより小さい副搬送波間隔に対してはスーパーサブフレームまたはサブフレームグループを介して他のインデクシングが必要である。３．７５ｋＨｚに対して、ＣＰ長さを延長し、または一部他の目的のために一定時間を予約し、１ｍｓ内に３個のＯＳのみがあると仮定することができる。
【０１５２】
図２１は、本発明の一実施例に係る異なるヌメロロジーに対するサブフレームインデクシングの例を示す。この実施例は、前述したオプション（２）に対応する。ＯＳインデックス側面で二つのアプローチを考慮することができる。ミニサブフレームが使われる場合、ＯＳインデックスは、サブフレームに基づいており、別途のミニサブフレームインデックスが使われることができる。その代案として、（使用法にかかわらず）ミニサブフレームが常に定義されると、ミニサブフレームに基づいてＯＳインデックスが定義されることができる。
【０１５３】
ＳＣｅｌｌ基本ヌメロロジーに対して、オプション（１）またはオプション（２）を使用することができ、ＳＣｅｌｌのミニサブフレームは、オプション（２）を使用してＰＣｅｌｌのミニサブフレームと整列されることができる。ＯＳインデックスがミニサブフレームに基づいている場合、ＯＳインデックスは、ＰＣｅｌｌまたはＳＣｅｌｌによって異なるように使われることができる。
【０１５４】
図２２は、本発明の一実施例に係る異なるヌメロロジーに対するサブフレームインデクシングの他の例を示す。異なるヌメロロジーが帯域内のモードの搬送波で使われる場合、ホストヌメロロジーと一致することが好ましい。この場合、整列のようなオプション（２）は、自然な選択とみえることができ、基本ヌメロロジーのサブフレーム長さによりｋ  ｍｓが定義されることができる。即ち、ホストヌメロロジーで帯域内の多重化されたヌメロロジーに対して別途のサブフレームを定義することができない。その代わりに、（ホストヌメロロジーより大きい副搬送波間隔に対する）ミニサブフレームまたは（ホストヌメロロジーより小さい副搬送波間隔に対する）サブフレームグループが定義されることができる。
【０１５５】
即ち、下記のように異なる場合に対してサブフレーム／ＯＳインデックスが決定されることができる。
【０１５６】
（１）ＰＣｅｌｌの場合、サブフレーム／ＯＳインデックスは、基本ヌメロロジーに基づいて決定されることができる（基本ヌメロロジーは、同期化プロセスに使われるヌメロロジーと仮定）。
【０１５７】
Ａ．サブフレームは、Ｋ  ＯＳにより定義されることができる（例：一般ＣＰのＫ＝１４、拡張ＣＰのＫ＝１２）。
【０１５８】
Ｂ．ミニサブフレームは、システム情報により事前定義されたり構成されたりすることができる。ミニサブフレームは、Ｋ１  ＯＳ（例：Ｋ１＝１またはＫ１＝２）により定義されることができる。Ｋ１＝１である場合、帯域内の多重化ヌメロロジー及び基本ヌメロロジーのためのミニサブフレームインデックスに対して基本ヌメロロジーのＯＳインデックスが使われることができる。
【０１５９】
（２）ＰＣｅｌｌ／ＳＣｅｌｌに対して、サブフレーム／ＯＳインデックスは、帯域内の多重化された異なるヌメロロジーＳＣｉ（例えば、ＵＲＬＬＣまたはＭＢＭＳ（ｍｕｌｔｉｍｅｄｉａ  ｂｒｏａｄｃａｓｔ  ｍｕｌｔｉｃａｓｔ  ｓｅｒｖｉｃｅｓ）またはＭＭＴＣ）に基づいて決定されることができる。
【０１６０】
Ａ．サブフレームは、ホスト搬送波の基本ヌメロロジーのＫ  ＯＳに定義されることができる。例えば、ＵＲＬＬＣに使われたヌメロロジーが６０ｋＨｚ副搬送波間隔である場合、ホスト搬送波が１５ｋＨｚ副搬送波間隔を使用し、それに対し、サブフレームは、１５ｋＨｚ副搬送波間隔の１４ＯＳを有する１ｍｓに定義されることができる。２．５ｋＨｚ副搬送波間隔を有するＭＢＭＳが使われる場合、１５ｋＨｚ副搬送波間隔に基づいて１４ＯＳを有する１ｍｓが依然として使われることができる。
【０１６１】
Ｂ．ＳＣｉ＞ＳＣ０である場合、ミニサブフレームは、ＳＣｉに基づくフロアー（Ｋ１＊（ＳＣｉ／ＳＣ０））ＯＳにより定義されることができる。例えば、ＵＲＬＬＣに使われたヌメロロジーが６０ｋＨｚ副搬送波間隔であり、ホスト搬送波が１５ｋＨｚ副搬送波間隔を使用する場合、ミニサブフレームは、８ＯＳまたは４ＯＳ（Ｋ１＝１またはＫ１＝２である場合）に定義されることができる。ＳＣｉのＯＳインデックス側面で、ミニサブフレームが定義されると、ミニサブフレーム内のＯＳインデックスが使われることができる。そうでない場合、基本ヌメロロジーの１サブフレーム内のＯＳインデックスが使われることができる。例えば、６０ｋＨｚ副搬送波間隔を有するＯＳの数は１４より大きい、ＯＳインデックスは０、１、２、３...５５であり、またはＯＳインデックスが０、１...６である８個のスロットがある。
【０１６２】
Ｃ．ＳＣｉ＜ＳＣ０である場合、（必要な場合）ｆｌｏｏｒ（ＳＣ０／ＳＣｉ）サブフレームを介してサブフレームグループが定義されることができる。ＳＣｉでＯＳインデックスの側面で、サブフレームグループが定義されると、サブフレームグループ内でＯＳインデックスが使われることができる。その代案として、基本ヌメロロジーのサブフレーム内でＯＳインデックスが使われることができる。
【０１６３】
（３）ＳＣｅｌｌの場合、サブフレーム／ＯＳインデックスは、基本ヌメロロジーＳＣ０＿ＳＣに基づいて決定されることができ、ここで、ＰＣｅｌｌ基本ヌメロロジーは、ＳＣ０＿ＰＣである。
【０１６４】
Ａ．ＳＣｅｌｌ  ＯＳインデックス及び／またはサブフレームは、該当セルがＰＣｅｌｌのように誘導されることができる（即ち、前記オプション（１）に従う）。
【０１６５】
Ｂ．ＳＣｅｌｌ  ＯＳインデックス及び／またはサブフレームは、該当セルが帯域内の動作のように誘導されることができる（即ち、前記オプション（２）に従う）。
【０１６６】
Ｃ．同じ使用例がＰＣｅｌｌ／Ｓｃｅｌｌをターゲットとする場合、前述したオプションＡが使われることができる。ＳＣｅｌｌが他の使用例に対するものである場合、前述されたオプションＢが使われることができる。
【０１６７】
Ｄ．サブフレームとミニサブフレームまたはサブフレームグループの全てがＳＣｅｌｌのために定義されることができる。即ち、前述したオプションＡとＢが同時に使われることができる。
【０１６８】
Ｅ．交差搬送波スケジューリングが使われると、前述したオプションＢになることができる。その代案として、前述したオプションＡがベースラインとして使われることができ、前述したオプションＢは、追加的に使われることができる。そうでない場合、前述したオプションＡが使われることができる。
【０１６９】
フレーム／サブフレームの個数を整列するために、フレームインデックスが示すことができる最大時間デュレーションは、副搬送波間隔によって線形的にスケーリングアップまたはダウンされることができる。例えば、１５ｋＨｚ副搬送波間隔にフレームインデックスが０...１０２３である場合、１０２４ｍｓが表現されることができ、３０ｋＨｚ副搬送波間隔に５１２ｍｓが表現されることができ、３．７５ｋＨｚ副搬送波間隔に４０９６ｍｓが表現されることができる。即ち、全てのフレーム構造は、基本ヌメロロジーに対して線形的にスケーリングダウンまたはアップされることができる。
【０１７０】
異なるヌメロロジーがキャリアアグリゲーションされる場合、タイマ及び関連タイミングは、自体サブフレーム定義に従うことができ、または依存性があり、またはそのようにするように構成された場合、ＰＣｅｌｌヌメロロジー／タイミングに従うように構成されることもできる。例えば、測定ギャップが構成されている場合、ＰＣｅｌｌ及びＳＣｅｌｌに共通である間隔であるため、ＰＣｅｌｌヌメロロジー／タイミングに従うことができる。この場合、独立したタイマは、ＳＣｅｌｌヌメロロジー／タイミングに従うことができる。このアプローチがＰＣｅｌｌ／ＳＣｅｌｌの全てに適用されると、ＰＣｅｌｌヌメロロジー／タイミングが使われることができる。独立した場合、各セルのヌメロロジー／タイミングが使われることができる
【０１７１】
４．ＭＢＭＳヌメロロジーオプション（ＭＢＭＳ  ｎｕｍｅｒｏｌｏｇｙ  ｏｐｔｉｏｎｓ）
【０１７２】
カバレッジ及びチャネル環境によって、ＭＢＭＳをサポートするために要求されるＣＰ長さは異なる。最も短いＣＰ長さは、所定の副搬送波間隔（即ち、ＣＰオーバーヘッドの約７％）を有する一般ＣＰほど小さい、最大２００ｕｓである。ＣＰ長さを増加させるために、全２個のアプローチが考慮されることができ、そのうち一つは、副搬送波間隔を減少させることであり、他の一つは、副搬送波間隔を維持しながらＣＰ長さを増加させることである。
【０１７３】
ＴＤＭ及びＦＤＭの両方ともでユニキャスト及びマルチキャスト間の効率的な多重化を可能にするために、ＭＢＭＳヌメロロジーをユニキャストの異なるｓＴＴＩ大きさと整列する必要がある。例えば、ユニキャストに使われる副搬送波間隔は、正規ＣＰを有するＳＣ０であり、ユニキャストによりサポートされるｓＴＴＩ長さは、ｍ０＊ＳＣ０、ｍ１＊ＳＣ０、ｍ２＊ＳＣ０...ｍｋ−１＊ＳＣ０（例えば、ｍ０＝２、ｍ１＝７または一つのスロット、ｍｋ−１＝１４）である。ＭＢＭＳのＣＰ長さ要求事項によって、全てのｓＴＴＩ長さと整列することが容易でないこともある。ｓＴＴＩ長さは、絶対時間を同一に維持しながら、より多くの数のＯＳに副搬送波間隔を増加させて実現されることができる。例えば、ｍ０＊ＳＣ０の代わりにｍ０＊ＳＣ０＊Ｋが考慮されることもできる。
【０１７４】
ＳＣ０＝１５ｋＨｚと仮定すると、本発明は、サポート可能なＣＰ長さ及び可能な整列オプションを議論する。一般性を失わないで、これは異なる副搬送波間隔値に拡張されることができ、その個数は、Ｋにより線形的に減少されることができ、ここで、ＳＣｉ＝ＳＣ０＊Ｋである。
【０１７５】
（１）ｍ０で整列：基本原理は、ＭＢＭＳのＳＣｉをＳＣｉ＝ＳＣ０／ｍ０として使用することであり、ＳＣ０内のｍ０シンボルのＣＰがＳＣｉに対して一つのＣＰを生成するために追加されることができる。例えば、ｍ０が２である場合、ＳＣｉ＝７．５ｋＨｚであり、ＳＣｉのＣＰ長さは（ＳＣ０で）１４４＋１４４Ｔｓである。ＳＣ０内のより大きいＣＰの取扱のために、本発明で説明されたアプローチが適用されることができる（例えば、他の目的のために予約され、または第１のＯＳ内で吸収される等である）。ｍ０＞２である場合、ＳＣｉで一つ以上のＯＳが考慮される。
【０１７６】
（２）ｍ１で整列：ｍ１が７ＯＳまたは一つのスロットと仮定すると、７を２または４または８に分けることができないため、整列が多少難しい。このオプションを活用する一例は、ＳＣ０に対する拡張ＣＰオプションから始めることであり、ここで、同じＣＰ長さを有する６ＯＳが仮定され、ＭＢＭＳ  ＣＰをこれに整列しようと試みる。例えば、このオプションを使用すると（ＳＣｉ＝ＳＣ０に付加して）ＳＣｉ＝ＳＣ０／６、ＳＣｉ＝ＳＣ０／３、ＳＣｉ＝ＳＣ０／２のうち一つがサポートされることができ、各オプションのＣＰ長さは、６＊５１２Ｔｓ、３＊５１２Ｔｓ、２＊５１２Ｔｓ（即ち、拡張ＣＰの６倍、拡張ＣＰの３倍、拡張ＣＰの２倍）である。
【０１７７】
（３）ｍｋ−１で整列：ＭＢＭＳヌメロロジーは、ＳＣ０のサブフレームと整列されることができる。オプション（２）と同様に、第１の動作は、ＳＣ０の拡張ＣＰと整列するのを考慮することであり、即ち、（ＳＣｉ＝ＳＣ０に付加して）ＳＣｉ＝ＳＣ０／１２、ＳＣｉ＝ＳＣ０／６、ＳＣｉ＝ＳＣ０／４、ＳＣｉ＝ＳＣ０／３、ＳＣｉ＝ＳＣ０／２がサポートされることができ、各オプションに対するＣＰ長さは、各々、１２＊５１２Ｔｓ、６＊５１２Ｔｓ、４＊５１２Ｔｓ、３＊５１２Ｔｓ、２＊５１２Ｔｓ（即ち、拡張ＣＰの６倍、拡張ＣＰの４倍、拡張ＣＰの３倍、拡張ＣＰの２倍）である。
【０１７８】
これはＭＢＭＳヌメロロジーの基準を有するＭＢＭＳ／ホストヌメロロジーと整列できる可能性を示す。ＭＢＭＳに対するｓＴＴＩ大きさが小さい場合、（例えば、単に一部ＯＳ）、ホストヌメロロジー及びＭＢＭＳヌメロロジー間の整列は、多数サブフレームレベル（例えば、ホストサブフレームの２または４サブフレーム）に発生できる。したがって、多数のｓＴＴＩは、ＭＢＭＳ動作のためのベースラインとして使われることができる。より具体的に、次の例は、基本ヌメロロジーが１５ｋＨｚ副搬送波間隔と仮定して考慮されることができる。それぞれの対は、ＭＢＭＳに対するＣＰ長さ、副搬送波間隔、ＴＴＩ内のＯＳ数を示す。同様に、異なる基準副搬送波間隔（３０ｋＨｚまたは６０ｋＨｚ）に対して、１５ｋＨｚを３０ｋＨｚまたは６０ｋＨｚに代替してスケールが適用されることができる。
【０１７９】
−１５ｋＨｚ拡張ＣＰ長さ＊１２、１５／１２ｋＨｚ、４または８（４または８サブフレームレベルで整列）
【０１８０】
−１５ｋＨｚ拡張ＣＰ長さ＊６、１５／６ｋＨｚ、４または８（２または４サブフレームレベルで整列）
【０１８１】
−１５ｋＨｚ拡張ＣＰ長さ＊４、１５／４ｋＨｚ、３または６（１または２サブフレームレベルで整列）
【０１８２】
−１５ｋＨｚ拡張ＣＰ長さ＊３、１５／３ｋＨｚ、４または８（１または２サブフレームレベルで整列）
【０１８３】
−１５ｋＨｚ拡張ＣＰ長さ＊１、１５／１ｋＨｚ、１２（１サブフレームレベルで整列）
【０１８４】
−１５ｋＨｚ正規ＣＰ長さ＊２、１５／２ｋＨｚ、７（１サブフレームレベルで整列）
【０１８５】
−１５ｋＨｚ正規ＣＰ長さ＊４、１５／４ｋＨｚ、７または１４（２または４サブフレームレベルで整列）
【０１８６】
−１５ｋＨｚ正規ＣＰ長さ＊７、１５／７ｋＨｚ、４または８（２または４サブフレームレベルで整列）
【０１８７】
図２３は、本発明の一実施例によってネットワークノードによりフレームを構成する方法を示す。前述した本発明は、この実施例に適用されることができる。
【０１８８】
ステップＳ１００において、ネットワークノードは、０．５ｍｓ毎に第１のシンボルに第１のＣＰが割り当てられ、０．５ｍｓ毎に残りのシンボルに第２のＣＰが割り当てられるフレームを構成する。ステップＳ１１０において、ネットワークノードは、前記フレームを利用してＵＥと通信する。前記第１のＣＰの長さは前記第２のＣＰの長さより長い。
【０１８９】
前記第１のＣＰの長さ及び前記第２のＣＰの長さは、サンプリング時間と関連して、副搬送波間隔に依存できる。
【０１９０】
前記フレームは、第１の副搬送波間隔を有する第１の時間デュレーションであり、前記第１の副搬送波間隔は、基準副搬送波間隔である。この場合、第１のフレームは、基準副搬送波間隔によって７個のＯＳで構成される。また、ネットワークノードは、第２の副搬送波間隔を有する第２のフレームを構成することもできる。第２の副搬送波間隔は、第１の副搬送波間隔に対する２の自乗である。第１のフレームと第２のフレームは、ＯＦＤＭシンボルレベルまたはスロットレベルまたはサブフレームレベルで互いに整列されることができる。
【０１９１】
図２４は、本発明の一実施例を実現するための無線通信システムを示す。
【０１９２】
ネットワークノード８００は、プロセッサ８１０、メモリ８２０及び送受信部８３０を含む。プロセッサ８１０は、本明細書で説明された提案された機能、手順及び／または方法を実現するように構成されることができる。無線インターフェースプロトコルの階層がプロセッサ８１０で実現されることができる。メモリ８２０は、プロセッサ８１０と動作可能に結合され、プロセッサ８１０を動作させるための多様な情報を格納する。送受信部８３０は、プロセッサ８１０と動作可能に結合され、無線信号を送信及び／または受信する。
【０１９３】
ＵＥ９００は、プロセッサ９１０、メモリ９２０及び送受信部９３０を含む。プロセッサ９１０は、本明細書で説明された提案された機能、手順及び／または方法を実現するように構成されることができる。無線インターフェースプロトコルの階層がプロセッサ９１０で実現されることができる。メモリ９２０は、プロセッサ９１０と動作可能に結合され、プロセッサ９１０を動作させるための多様な情報を格納する。送受信部９３０は、プロセッサ９１０と動作可能に結合され、無線信号を送信及び／または受信する。
【０１９４】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部８３０、９３０は、無線周波数信号を処理するためのベースバンド回路を含むことができる。実施例がソフトウェアで実現される時、前述した技法は前述した機能を遂行するモジュール（過程、機能など）で実現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１９５】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
2019518377.tif 000019
【図２】
2019518377.tif 000020
【図３】
2019518377.tif 000021
【図４】
2019518377.tif 000022
【図５】
2019518377.tif 000023
【図６】
2019518377.tif 000024
【図７】
2019518377.tif 000025
【図８】
2019518377.tif 000026
【図９】
2019518377.tif 000027
【図１０】
2019518377.tif 000028
【図１１】
2019518377.tif 000029
【図１２】
2019518377.tif 000030
【図１３】
2019518377.tif 000031
【図１４】
2019518377.tif 000032
【図１５】
2019518377.tif 000033
【図１６】
2019518377.tif 000034
【図１７】
2019518377.tif 000035
【図１８】
2019518377.tif 000036
【図１９】
2019518377.tif 000037
【図２０】
2019518377.tif 000038
【図２１】
2019518377.tif 000039
【図２２】
2019518377.tif 000040
【図２３】
2019518377.tif 000041
【図２４】
2019518377.tif 000042
【国際調査報告】
2019518377.tif 000043
2019518377.tif 000044